(57)【要約】【課題】座部が座部本体とその座部本体に着脱可能に取り付けられた座部クッションとを有する構成にあって、座部本体と座部クッションとの間の隙間にカビ等の汚れが発生するのを抑制することができる浴室用椅子を提供する。【解決手段】浴室用椅子の座部は、板状の座部本体２５と、その座部本体２５の上面側に着脱可能に取り付けられた座部クッション２６とを備える。座部クッション２６には、その厚み方向に貫通する水抜き孔４５が設けられている。座部本体２５には、水抜き孔４５を通じて流下した水を座部本体２５の裏面側へ導く排水部５０が形成されている。また、座部クッション２６の裏面には、水抜き孔４５の周縁部から下方に突出する突条部４６が設けられている。突条部４６は、その下端部全周が水抜き孔４５に入り込んでいる。【選択図】図８
2020192038.tif 000002
【特許請求の範囲】
【請求項１】
脚フレームと、
その脚フレームに支持された座部と、を備え、
前記座部は、前記脚フレームに取り付けられた板状の座部本体と、その座部本体の上に着脱可能に取り付けられた座部クッションとを有し、
前記座部クッションには、表面から裏面へと貫通する水抜き孔が形成され、
前記座部本体には、前記水抜き孔を通じて流下した水を前記座部本体の裏面側へと導く排水部が形成され、
前記座部クッションの前記裏面には、前記水抜き孔の周縁部から下方に突出する突条部が設けられ、
前記突条部は、その下端部全周が前記排水部に入り込んでいるか又は前記排水部の真上に位置している、浴室用椅子。
【請求項２】
前記座部本体及び前記座部クッションのうちいずれか一方には、他方に向けて突出する突部が設けられ、前記他方には前記突部が嵌め込まれる孔部が設けられ、
前記突部が前記孔部に嵌め込まれることで前記座部クッションが前記座部本体に着脱可能に取り付けられている、請求項１に記載の浴室用椅子。
【請求項３】
前記排水部は、
前記座部本体の表面にて開口する凹状に形成されているとともに、前記水抜き孔を通じて流下した水が流れ込む排水路と、
平面視にて前記水抜き孔とは異なる位置で前記排水路から下方に延び、前記座部本体の裏面にて開口する排水孔とを有し、
前記排水路は、その底面が前記排水孔へ向けて下方に傾斜している、請求項１又は２に記載の浴室用椅子。
【請求項４】
前記座部は、前記座部クッションの表面からなる座面が上方を向く展開状態と、前記座面が前後方向を向く折り畳み状態とに切替可能とされ、
前記座部の前記折り畳み状態では、前記排水孔が前記水抜き孔よりも下方に配置されるとともに、前記排水路が前記排水孔に向けて下方へ延びるように配置される、請求項３に記載の浴室用椅子。
【請求項５】
前記排水孔は、前記座部の前記折り畳み状態において、前記座部本体の裏面側へ向けて下方傾斜するよう形成されている、請求項４に記載の浴室用椅子。
【請求項６】
前記座部本体の裏面には、前記排水孔の周縁部から下方に突出する水切り部が設けられている、請求項３乃至５のいずれか一項に記載の浴室用椅子。
【請求項７】
前記座部クッションの表面にはすり鉢状に窪んだ窪み部が形成され、
前記水抜き孔は、前記座部クッションにおいて前記窪み部の底部に１つだけ設けられている、請求項１乃至６のいずれか一項に記載の浴室用椅子。
【発明の詳細な説明】
【技術分野】
【０００１】
本発明は、浴室用椅子に関する。
【背景技術】
【０００２】
従来より、高齢者や要介護者等が浴室で腰掛ける際に使用する浴室用の椅子が知られている。特許文献１には、浴室用椅子の座部が、基板とその基板の上に着脱可能に取り付けられた座部クッションとを備える構成が開示されている。特許文献１の座部では、座部クッションの裏面に突部が設けられ、基板にはその突部が嵌め込まれる孔部が設けられている。そして、座部クッションの突部が基板の孔部に嵌め込まれることにより、座部クッションが基板に着脱可能に取り付けられるようになっている。これにより、座部クッションを基板から取り外して洗浄等することが可能となっている。
【先行技術文献】
【特許文献】
【０００３】
【特許文献１】特開２００３−４７５３５号公報
【発明の概要】
【発明が解決しようとする課題】
【０００４】
ところで、上記特許文献１の座部において、その表面に水がかかった場合に、その水を座部の裏面側へと導く排水構造を設けることが考えられる。この場合、例えば、座部クッションに上下に延びる貫通孔を設けるとともに、基板にその貫通孔と連続して上下に延びる貫通孔を設けることが考えられる。かかる構成では、座部の上の水を座部クッション及び基板の各貫通孔を通じて座部の裏面側へ排出することが可能となる。
【０００５】
ここで、上記特許文献１の座部では、突部と凹部との嵌合により座部クッションが基板に取り付けられるようになっているため、座部クッションと基板との間には若干の隙間が生じることが想定される。この場合、座部上の水が座部クッションの貫通孔を通じて流下すると、その水が上記の隙間に入り込んでしまうおそれがある。そうすると、その隙間内においてカビ等の汚れが発生するおそれがある。
【０００６】
本発明は、上記事情に鑑みてなされたものであり、座部が座部本体とその座部本体に着脱可能に取り付けられた座部クッションとを有する構成にあって、座部本体と座部クッションとの間の隙間にカビ等の汚れが発生するのを抑制することができる浴室用椅子を提供することを主たる目的とするものである。
【課題を解決するための手段】
【０００７】
上記課題を解決すべく、第１の発明の浴室用椅子は、脚フレームと、その脚フレームに支持された座部と、を備え、前記座部は、前記脚フレームに取り付けられた板状の座部本体と、その座部本体の上に着脱可能に取り付けられた座部クッションとを有し、前記座部クッションには、表面から裏面へと貫通する水抜き孔が形成され、前記座部本体には、前記水抜き孔を通じて流下した水を前記座部本体の裏面側へと導く排水部が形成され、前記座部クッションの前記裏面には、前記水抜き孔の周縁部から下方に突出する突条部が設けられ、前記突条部は、その下端部全周が前記排水部に入り込んでいるか又は前記排水部の真上に位置している、ことを特徴とする。
【０００８】
本発明によれば、座部クッションの表面に水がかかると、その水が座部クッションに形成された水抜き孔を通じて下方へと流れ落ちる。そして、その水は座部本体に設けられた排水部を通じて座部本体の裏面側へと導かれる。このような排水構造を有する構成にあって、本発明では、座部クッションの裏面に水抜き孔の周縁部から下方に突出する突条部が設けられ、その突条部の下端部全周が座部本体に設けられた排水部に入り込んでいるか又は排水部の真上に位置している。この場合、水抜き孔を通じて流下する水が座部クッションと座部本体との間の隙間に入り込むのを抑制することができるため、上記隙間にカビ等の汚れが発生するのを抑制することができる。
【０００９】
第２の発明の浴室用椅子は、第１の発明において、前記座部本体及び前記座部クッションのうちいずれか一方には、他方に向けて突出する突部が設けられ、前記他方には前記突部が嵌め込まれる孔部が設けられ、前記突部が前記孔部に嵌め込まれることで前記座部クッションが前記座部本体に着脱可能に取り付けられている、ことを特徴とする。
【００１０】
本発明によれば、座部クッション及び座部本体のうちいずれか一方に設けられた突部が他方に設けられた孔部に嵌め込まれることで、座部クッションが座部本体に着脱可能に取り付けられるようになっている。このような構成では、座部本体と座部クッションとの間に隙間が生じ易く、そのため、水抜き孔から流下した水が上記隙間に入り込み易いと考えられる。その点、本発明では、こうした構成に、水抜き孔の周縁部から下方に延びる突条部を設けたため、かかる構成において上記隙間にカビ等の汚れが発生するのを好適に抑制することができる。
【００１１】
第３の発明の浴室用椅子は、第１又は第２の発明において、前記排水部は、前記座部本体の表面にて開口する凹状に形成されているとともに、前記水抜き孔を通じて流下した水が流れ込む排水路と、平面視にて前記水抜き孔とは異なる位置で前記排水路から下方に延び、前記座部本体の裏面にて開口する排水孔とを有し、前記排水路は、その底面が前記排水孔へ向けて下方に傾斜している、ことを特徴とする。
【００１２】
ところで、座部クッション上の水の排出を好適に行う上では、座部クッションの水抜き孔を座面の中央側に形成するのが望ましい。その一方で、座部本体において上記座面の中央側の真下には機構部品が設けられることが多い。そのため、水抜き孔を通じて流下する水をそのまま排水部を通じて真下に排出するのは難しいと考えられる。そこで本発明では、こうした点に鑑み、排水部を凹状の排水路と、排水孔とを有する構成としている。かかる構成では、座部クッションの水抜き孔を通じて流下した水が座部本体の排水路に流れ落ち、その後、排水路を通じて排水孔へと導かれる。そして、この排水孔から水が座部本体の裏面側に排出される。この場合、排水孔を水抜き孔の真下位置とは異なる位置に設定することができるため、水抜き孔の真下位置に機構部品が存在している場合でも、その機構部品を回避して排水を行うことができる。
【００１３】
また、本発明では、さらに、こうした排水構造を有する構成にあって、排水路の底面を排水孔へ向けて下方傾斜させている。この場合、水抜き孔を通じて排水路に流下した水をその排水路を通じて排水孔へ円滑に導くことができる。これにより、排水路に水が滞留するのを抑制することができ、その結果、排水路にカビ等の汚れが発生するのを抑制することができる。
【００１４】
第４の発明の浴室用椅子は、第３の発明において、前記座部は、前記座部クッションの表面からなる座面が上方を向く展開状態と、前記座面が前後方向を向く折り畳み状態とに切替可能とされ、前記座部の前記折り畳み状態では、前記排水孔が前記水抜き孔よりも下方に配置されるとともに、前記排水路が前記排水孔に向けて下方へ延びるように配置される、ことを特徴とする。
【００１５】
本発明によれば、座部の折り畳み状態では、排水孔が水抜き孔よりも下方に配置され、その排水孔へ向けて排水路が下方へと延びるため、その排水路を通じて水を排水孔まで円滑に導くことができる。これにより、排水路に汚れが発生するのをより一層抑制することができる。
【００１６】
第５の発明の浴室用椅子は、第４の発明において、前記排水孔は、前記座部の前記折り畳み状態において、前記座部本体の裏面側へ向けて下方傾斜するよう形成されている、ことを特徴とする。
【００１７】
本発明によれば、座部の折り畳み状態では、排水孔が座部本体の裏面側へ向けて下方傾斜するため、その排水孔を通じて水を円滑に排出することができる。
【００１８】
第６の発明の浴室用椅子は、第３乃至第５のいずれかの発明において、前記座部本体の裏面には、前記排水孔の周縁部から下方に突出する水切り部が設けられている、ことを特徴とする。
【００１９】
本発明によれば、座部本体の裏面（下面）に排水孔の周縁部から下方に突出する水切り部が設けられているため、排水孔を通じて流れ落ちる水が座部本体の裏面に伝わるのを抑制することができる。これにより、座部本体の裏面にカビ等の汚れが発生するのを抑制することができる。
【００２０】
第７の発明の浴室用椅子は、第１乃至第６のいずれかの発明において、前記座部クッションの表面にはすり鉢状に窪んだ窪み部が形成され、前記水抜き孔は、前記座部クッションにおいて前記窪み部の底部に１つだけ設けられている、ことを特徴とする。
【００２１】
本発明によれば、座部クッションに水抜き孔が１つだけ設けられているため、水抜き孔周辺の汚れの清掃を容易に行うことができる。また、水抜き孔は座部クッションの表面に形成された窪み部の底部に設けられているため、一の水抜き孔であっても座部クッションの表面に溜まる水を水抜き孔へ導いて好適に排出することができる。
【図面の簡単な説明】
【００２２】
【図１】浴室用椅子を斜め上から見た斜視図。
【図２】浴室用椅子を斜め下から見た斜視図。
【図３】浴室用椅子を示す側面図であり、浴室用椅子が開脚され座部が展開された状態を示している。
【図４】浴室用椅子を示す側面図であり、浴室用椅子が閉脚され座部が折り畳まれた状態を示している。
【図５】浴室用椅子を示す平面図。
【図６】座部クッションを取り外した状態で浴室用椅子を示す平面図。
【図７】浴室用椅子を示す底面図。
【図８】（ａ）が座部クッションを示す斜視図であり、（ｂ）が座部本体を示す斜視図である。
【図９】図５のＡ−Ａ線断面図。
【図１０】（ａ）が図５のＢ−Ｂ線断面図であり、（ｂ）が図５のＣ−Ｃ線断面図である。
【図１１】浴室用椅子を示す正面図であり、浴室用椅子が閉脚状態とされ座部が折り畳まれた状態を示す。
【図１２】図１１のＤ−Ｄ線断面図。
【発明を実施するための形態】
【００２３】
以下に、本発明を具体化した一実施の形態について図面を参照しつつ説明する。図１は浴室用椅子を斜め上から見た斜視図であり、図２は浴室用椅子を斜め下から見た斜視図である。また、図３及び図４はいずれも浴室用椅子を示す側面図である。図１〜図３では、浴室用椅子が開脚され座部が展開された状態を示しており、図４では、浴室用椅子が閉脚され座部が折り畳まれた状態を示している。
【００２４】
また、以下の説明では、使用者が浴室用椅子に座った状態を基準として、前後左右をいうものとする。また、以下の説明では、特に断りがない限り、浴室用椅子が開脚され座部が展開された状態（つまり図１〜図３の状態）における浴室用椅子の構成をいうものとする。
【００２５】
図１〜図４に示すように、浴室用椅子１０は、脚フレーム１１と、その脚フレーム１１に取り付けられた座部１２及び背もたれ部１３とを備える。脚フレーム１１は、前脚フレーム１５と後脚フレーム１６とを有している。これら各脚フレーム１５，１６は金属製のパイプ材により形成されている。
【００２６】
前脚フレーム１５は、左右一対の前脚部１７と、それら各前脚部１７を連結して設けられる背もたれフレーム１８とを有している。各前脚部１７は、上方に向かうにつれ後方に傾斜するように延びており、その下端部には樹脂製のキャップ１９が取り付けられている。また、背もたれフレーム１８は、各前脚部１７から上方に延びる一対の縦フレーム部と、それら各縦フレーム部の上端部をつなぐ横フレーム部とを有するコ字状に形成されている。
【００２７】
後脚フレーム１６は、左右一対の後脚部２１を有している。各後脚部２１は、上方に向かうにつれ前方に傾斜するように延びており、その下端部には樹脂製のキャップ２２が取り付けられている。
【００２８】
前脚フレーム１５の前脚部１７と後脚フレーム１６の後脚部２１とは互いに交差する交差部において左右に延びる回動軸２３を介して回動可能に連結されている。これにより、前脚フレーム１５と後脚フレーム１６とは回動軸２３を中心として互いに回動可能とされ、その回動により、互いの下部が離間する開脚状態（図３に示す状態）と、互いの下部が接近する閉脚状態（図４に示す状態）とに移行可能となっている。閉脚状態では、各脚フレーム１５，１６が折り畳まれた状態となり、その折り畳み状態において浴室用椅子１０は自立可能となっている。
【００２９】
座部１２は、樹脂材料により形成された板状の座部本体２５と、その座部本体２５の上面側に取り付けられた板状の座部クッション２６とを備える。座部本体２５と座部クッション２６とはいずれも平面視にて略矩形形状とされ、また、互いの平面視形状及び大きさが略同じとされている。また、座部クッション２６は、防水性を有するクッション材料により形成され、その上面が使用者が座る座面２７となっている。
【００３０】
座部本体２５は、前脚フレーム１５の各前脚部１７を連結する連結フレーム２８に回動可能に支持されている。これにより、座部本体２５ひいては座部１２は、連結フレーム２８を回動軸として上方に回動可能とされ、その回動により脚フレーム１１に対して折り畳み可能となっている。すなわち、座部１２は、座面２７が上方を向く展開状態（図３に示す状態）と、座面２７が前方を向く折り畳み状態（図４に示す状態）とに切替可能とされている。座部１２は、展開状態では水平の向きで配置され、折り畳み状態では上下方向に延びる向きで配置される。また、詳しくは、座部１２は、折り畳み状態では、上方に向かうにつれ後方に傾斜する向きで配置される。
【００３１】
なお、本実施形態では、前脚フレーム１５及び後脚フレーム１６が開脚状態とされると、それに連動して座部１２が展開状態とされ、前脚フレーム１５及び後脚フレーム１６が閉脚状態とされると、それに連動して座部１２が折り畳み状態とされる構成が採用されている。
【００３２】
座部本体２５の裏面側には、座部１２を脚フレーム１１に係合させて座部１２を展開状態に保持するロック機構３１が設けられている。ロック機構３１は、座部本体２５の裏面側において中央部に配置されている。ロック機構３１は、前脚フレーム１５の各前脚部１７を連結する連結フレーム２９に係合可能な係合部３２と、その係合部３２を収容する収容部３３とを備える。係合部３２は、連結フレーム２９に下方から係合される係合位置（図２において実線で示す）と、その係合が解除される係合解除位置（図２において二点鎖線で示す）との間で変位可能とされている。係合部３２は、図示しないコイルばねにより係合位置に向けて付勢され、それにより常時係合位置に位置している。係合部３２が係合位置にある場合には、係合部３２ひいては座部１２が連結フレーム２９に下方から係合される。この場合、座部１２は上方への回動が禁止されるロック状態とされ、それにより座部１２の展開状態が保持される。
【００３３】
一方、係合部３２が係合解除位置に変位すると、連結フレーム２９に対する係合部３２の係合が解除され、ひいては座部１２の係合が解除される。これにより、座部１２は上方への回動が許容されるロック解除状態とされ、展開状態から折り畳み状態への移行が可能となる。また、浴室用椅子１０には、座部１２のロック解除を行うための操作レバー３５が背もたれ部１３の背面側に設けられている。本実施形態では、この操作レバー３５が上方に引き上げられると、係合部３２が係合解除位置に変位し、座部１２のロックが解除されるようになっている。
【００３４】
背もたれ部１３は、樹脂材料により形成された板状の背もたれ支持部３７と、その背もたれ支持部３７の前面側に取り付けられた背もたれクッション３８とを備える。背もたれ部１３は、前脚フレーム１５の背もたれフレーム１８に取り付けられている。また、背もたれフレーム１８には、背もたれ部１３の他に、肘掛け部３９が取り付けられている。肘掛け部３９は、背もたれフレーム１８に折り畳み可能に取り付けられている（図４参照）。
【００３５】
続いて、座部１２に関する構成について図５〜図８に基づいて詳しく説明する。図５は、浴室用椅子１０を示す平面図である。図６は、座部クッション２６を取り外した状態で浴室用椅子１０を示す平面図である。図７は、浴室用椅子１０を示す底面図である。図８は、（ａ）が座部クッション２６を示す斜視図であり、（ｂ）が座部本体２５を示す斜視図である。
【００３６】
図８（ａ）に示すように、座部クッション２６の裏面（換言すると下面）には、下方に向けて突出する複数（具体的には４つ）の突部４１が設けられている。これらの突部４１は、座部本体２５に向けて突出している。各突部４１は円柱状をなしており、座部クッション２６において左右対称に配置されている。一方、座部本体２５には、図６及び図８（ｂ）に示すように、座部クッション２６の各突部４１が嵌め込まれる複数の孔部４２が設けられている。これらの孔部４２は円形状をなしており、座部本体２５を厚み方向に貫通している。
【００３７】
図５及び図７に示すように、座部クッション２６は、座部本体２５の上に載置された状態で設けられ、その載置状態で座部クッション２６の各突部４１がそれぞれ座部本体２５の孔部４２に上方から嵌め込まれている。これにより、座部クッション２６は座部本体２５に対して着脱可能に取り付けられている。
【００３８】
また、座部本体２５には、持ち手として用いられる持ち手用の孔部４３が設けられている。図示は省略するが、本実施形態では、座部１２を折り畳み状態からさらに上方へ回動させることで、座部１２を略鉛直の向きに折り畳むことが可能となっている。そして、かかる座部１２の回動に際し孔部４３を持ち手として用いることが可能となっている。この持ち手用の孔部４３は、座部本体２５を厚み方向に貫通しており、座部本体２５の後方、詳しくは後述する排水部５０よりも後方に形成されている。また、座部クッション２６の裏面には、この孔部４３に対応させて凹部４４が形成されている。
【００３９】
続いて、座部１２に設けられた排水構造について説明する。この排水構造は、座部１２の表面（座面２７）にかかった水を座部１２の裏面側へ導くためのものであり、以下においては、かかる排水構造について図５〜図８に加え、図９及び図１０を用いながら説明する。図９は、図５のＡ−Ａ線断面図である。図１０は、（ａ）が図５のＢ−Ｂ線断面図であり、（ｂ）が図５のＣ−Ｃ線断面図である。
【００４０】
図５及び図８（ａ）に示すように、座部クッション２６には、その座部クッション２６を厚み方向に貫通する水抜き孔４５が形成されている。水抜き孔４５は、その孔形状が楕円形状とされ、詳しくは前後方向に長い楕円形状とされている。水抜き孔４５は、座部クッション２６の左右方向の中央部に形成されている。また、水抜き孔４５は、座部クッション２６において前後方向の中央部よりも後ろ寄りに配置されている。この場合、水抜き孔４５は、ロック機構３１（詳しくは係合部３２）の真上に配置されている。また、本実施形態では、水抜き孔４５が座部クッション２６において１つだけ設けられている。より詳しくは、座部クッション２６をその表面から裏面へと貫通する孔部は上記１つの水抜き孔４５だけとなっている。
【００４１】
図１０（ａ）に示すように、座部クッション２６の裏面には、水抜き孔４５の周縁部から下方に突出する突条部４６が形成されている。この突条部４６は、水抜き孔４５の周縁部全域に亘って環状（詳しくは楕円環状）をなすように形成されている。
【００４２】
図９に示すように、座部クッション２６は、その表面がすり鉢状に窪んだ形状とされている。この場合、座部クッション２６の表面にはすり鉢状に窪んだ窪み部４８が形成されている。窪み部４８は、座部クッション２６の表面の略全域に亘って形成されている。窪み部４８では、その表面が水抜き孔４５に向かって緩やかに下方傾斜するよう形成されている。したがって、窪み部４８においては水抜き孔４５の周辺が底部となっている。また、この場合、座部クッション２６を平面視すると、水抜き孔４５は窪み部４８の底部に位置している。
【００４３】
上記の構成によれば、座部クッション２６の表面にかかった水は窪み部４８の表面に沿って水抜き孔４５へと流れる。そして、その水は水抜き孔４５を通じて下方へ流れ落ち、座部本体２５側へと導かれる。
【００４４】
続いて、座部本体２５側の構成について説明する。
【００４５】
図６及び図８（ｂ）に示すように、座部本体２５には、座部クッション２６の水抜き孔４５を通じて流下した水を座部本体２５の裏面側（下面側）へと導く排水部５０が設けられている。排水部５０は、座部本体２５の表面（上面）にて開放された凹状（溝状）の排水路５１と、その排水路５１から下方に延びて座部本体２５の裏面にて開口する排水孔５２とを有している。
【００４６】
排水路５１は、水抜き孔４５を通じて流下する水が流れ込む水受け部５４と、その水受け部５４から互いに異なる方向へ延びる一対の水通路５５とを備える。水受け部５４は、座部クッション２６の水抜き孔４５の真下に位置している。水受け部５４は、水抜き孔４５に対応して前後方向に延びており、平面視において水抜き孔４５の全域と重複するように形成されている。詳しくは、水受け部５４は、平面視において水抜き孔４５よりも一回り大きく形成されている。
【００４７】
図１０（ａ）に示すように、水受け部５４には、座部クッション２６の突条部４６の下端部が入り込んでいる。この場合、突条部４６の下端部全周が水受け部５４に入り込んでいる。なお、突条部４６の下端部全周が水受け部５４に入り込んでいることに代え、突条部４６の下端部全周が水受け部５４の真上に位置していてもよい。
【００４８】
各水通路５５は、水受け部５４から左右両側にそれぞれ延びており、溝状に形成されている。詳しくは、各水通路５５は、水受け部５４からそれぞれ左斜め前及び右斜め前に向けて延びている。したがって、各水通路５５は、水受け部５４よりも前方に延びているともいえる。また、各水通路５５は水受け部５４の前側から延びており、そのため、水受け部５４は、各水通路５５よりも後方に延出した延出部分を有している。また、水受け部５４の底面は、前側に向けて下方傾斜するように形成されている（図１０（ａ）参照）。
【００４９】
各水通路５５における水受け部５４とは反対側の端部にはそれぞれ排水孔５２が設けられている。各排水孔５２は円形状とされ、水通路５５の底面から座部本体２５の裏面へと座部本体２５を上下に貫通している。この場合、各排水孔５２は、平面視において水抜き孔４５とは異なる位置に配置されている。また、各排水孔５２は、ロック機構３１の真上位置とは異なる位置に配置され、詳しくは、平面視にてロック機構３１を挟んだ左右両側にそれぞれ配置されている（図７参照）。
【００５０】
また、図１０（ｂ）に示すように、各水通路５５は、その底面５５ａが排水孔５２に向けて下方に傾斜している。詳しくは、各水通路５５は、水受け部５４から排水孔５２までの範囲全域に亘って底面５５ａが下方傾斜している。
【００５１】
座部本体２５の裏面には、排水孔５２の周縁部から下方に突出する水切り部５７が設けられている。水切り部５７は、排水孔５２の周縁部全域に亘って環状（円環状）をなすように形成されている。
【００５２】
上記の構成によれば、座部クッション２６の水抜き孔４５を通じて流下した水は座部本体２５の水受け部５４に流れ込み、その後、水受け部５４から各水通路５５を通じて各排水孔５２へ向けて流れる。そして、その水は各排水孔５２を通じて水通路５５から座部本体２５の裏面側へと導かれる。このように、本浴室用椅子１０では、座部クッション２６の表面にかかった水が座部クッション２６の水抜き孔４５と座部本体２５の排水部５０とを通じて座部１２（座部本体２５）の裏面側へと導かれ排出されるようになっている。
【００５３】
続いて、座部１２の折り畳み状態における排水に関する構成について説明する。図１１は、浴室用椅子１０を示す正面図であり、浴室用椅子１０が閉脚状態とされ座部１２が折り畳まれた状態を示す。また、図１２は、図１１のＤ−Ｄ線断面図である。
【００５４】
上述したように、座部１２の折り畳み状態では、座部１２が上下方向に延びる向きで配置される。この場合、図１１に示すように、座部クッション２６の水抜き孔４５よりも座部本体２５の各排水孔５２が下方に配置される。また、この場合、座部本体２５の排水部５０では、各排水孔５２が水受け部５４よりも下方に配置され、その水受け部５４から排水路５１詳しくは各水通路５５が排水孔５２に向けて下方に延びるように配置される。詳しくは、各水通路５５は、排水孔５２に向けて下方に傾斜した状態で配置される。この場合、各排水孔５２は水通路５５（排水路５１）において下端部に位置する。
【００５５】
また、座部１２の折り畳み状態では、詳しくは、座部１２が後方に傾斜した状態で配置される（図４参照）。そのため、座部１２の折り畳み状態では、図１２に示すように、座部本体２５の各排水孔５２がそれぞれ後方に向けて下方に傾斜した状態とされる。つまり、この場合、各排水孔５２は、座部本体２５の裏面側へ向けて下方傾斜した状態とされる。
【００５６】
上記の構成によれば、座部１２の折り畳み状態においては、排水路５１にたまった水が排水路５１を通じてその排水路５１の下端部に位置する排水孔５２へ向けて流れる。そして、その水が排水孔５２を通じて座部本体２５の裏面側へ排出される。
【００５７】
以上、詳述した本実施形態の構成によれば、以下の優れた効果が得られる。
【００５８】
座部クッション２６の裏面に水抜き孔４５の周縁部から下方に突出する突条部４６を設け、その突条部４６の下端部全周を座部本体２５に形成した排水部５０に入り込ませるようにした。この場合、水抜き孔４５を通じて流下する水が座部クッション２６と座部本体２５との間の隙間に入り込むのを抑制することができるため、上記隙間にカビ等の汚れが発生するのを抑制することができる。
【００５９】
座部クッション２６の突部４１を座部本体２５の孔部４２に嵌め込むことで座部クッション２６を座部本体２５に着脱可能に取り付けるようにした。かかる構成では、座部本体２５と座部クッション２６との間に隙間が生じ易く、そのため、水抜き孔４５から流下した水がその隙間に入り込み易いことが考えられる。その点、上記の実施形態では、こうした構成に、水抜き孔４５の周縁部から下方に延びる突条部４６を設けたため、かかる構成において上記隙間にカビ等の汚れが発生するのを好適に抑制することができる。
【００６０】
排水部５０を、凹状の排水路５１と排水孔５２とを有する構成とした。かかる構成では、座部クッション２６の水抜き孔４５を通じて流下した水が座部本体２５の排水路５１に流れ落ち、その後、排水路５１を通じて排水孔５２へと導かれる。そして、この排水孔５２から水が座部本体２５の裏面側に排出される。この場合、排水孔５２を水抜き孔４５の真下位置とは異なる位置に設定することができるため、水抜き孔４５の真下位置にロック機構３１（機構部品）が存在している上記実施形態の構成にあって、ロック機構３１を回避して排水を行うことができる。
【００６１】
また、排水路５１の底面を排水孔５２へ向けて下方傾斜させて形成したため、水抜き孔４５を通じて排水路５１に流下した水をその排水路５１を通じて排水孔５２へ円滑に導くことができる。これにより、排水路５１に水が滞留するのを抑制することができ、その結果、排水路５１にカビ等の汚れが発生するのを抑制することができる。
【００６２】
座部１２の折り畳み状態では、排水孔５２が水抜き孔４５よりも下方に配置されるようにし、その排水孔５２へ向けて排水路５１が下方へ延びるようにした。この場合、排水路５１を通じて水を排水孔５２まで円滑に導くことができるため、排水路５１に汚れが発生するのをより一層抑制することができる。
【００６３】
座部１２の折り畳み状態では、排水孔５２が座部本体２５の裏面側へ向けて下方傾斜するようにした。そのため、その排水孔５２を通じて水を円滑に排出することができる。
【００６４】
ちなみに、座部本体２５の排水部５０（排水路５１や排水孔５２）により奏する上述の各効果を得るにあたって、座部クッション２６の裏面に突条部４６が設けられていることは必須ではない。つまり、座部クッション２６の裏面に突条部４６が設けられていなくても、座部本体２５の排水部５０による上述の各効果を得ることが可能である。
【００６５】
座部本体２５の裏面（下面）に排水孔５２の周縁部から下方に突出する水切り部５７を設けたため、排水孔５２を通じて流れ落ちる水が座部本体２５の裏面に伝わるのを抑制することができる。これにより、座部本体２５の裏面にカビ等の汚れが発生するのを抑制することができる。
【００６６】
座部クッション２６に水抜き孔４５を１つだけ設けたため、水抜き孔４５周辺の汚れの清掃を容易に行うことができる。また、水抜き孔４５を座部クッション２６の表面に形成した窪み部４８の底部に設けたため、一の水抜き孔４５であっても座部クッション２６の表面に溜まる水を水抜き孔４５へ導いて好適に排出することができる。
【００６７】
本発明は上記実施形態に限らず、例えば次のように実施されてもよい。
【００６８】
・上記実施形態では、座部本体２５に設けた孔部４２を貫通孔としたが、この孔部４２を座部本体２５の表面にて開口する有底の孔部としてもよい。この場合にも、その有底の孔部に座部クッション２６の突部４１を嵌め込むことで、座部クッション２６を座部本体２５に着脱可能に取り付けることができる。
【００６９】
また、上記実施形態では、座部クッション２６に突部４１を設け、座部本体２５に孔部４２を設けたが、これを逆にして、座部本体２５に突部を設け、座部クッション２６に孔部を設けてもよい。この場合、座部クッション２６の孔部に座部本体２５の突部を嵌め込むことで、座部クッション２６を座部本体２５に着脱可能に取り付けることができる。また、この場合には、座部クッション２６の孔部を座部クッション２６の裏面にて開口する有底の孔部とするのが望ましい。
【００７０】
・上記実施形態では、突部４１と孔部４２との嵌め込みにより、座部クッション２６を座部本体２５に着脱可能に取り付けるようにしたが、座部クッション２６を座部本体２５に着脱可能に取り付けるための構成は必ずしもこれに限らない。例えば、座部クッション２６と座部本体２５との対向部分に面ファスナを設け、その面ファスナを用いて座部クッション２６を座部本体２５に着脱可能に取り付けるようにしてもよい。
【００７１】
・上記実施形態では、座部クッション２６に水抜き孔４５を１つだけ設けたが、座部クッション２６に水抜き孔４５を複数設けてもよい。例えば、水抜き孔４５を２つ又は３つ設けることが考えられる。この場合、排水路５１を、各水抜き孔４５を通じて流下する水がそれぞれ流れ込むように形成すればよい。また、この場合、座部クッション２６には、突条部４６を各水抜き孔４５ごとに設けることが考えられる。また、突条部４６を各水抜き孔４５のうちいずれか一の水抜き孔４５にのみ設けるようにしてもよい。
【００７２】
・上記実施形態では、座部クッション２６の表面全域に亘って窪み部４８を形成したが、窪み部４８を座部クッション２６の表面の一部にのみ形成してもよい。例えば、窪み部４８を、座部クッション２６の表面において水抜き孔４５を中心とする一部の範囲にのみ形成することが考えられる。
【００７３】
・上記実施形態では、座部本体２５に排水孔５２を２つ設けたが、排水孔５２を１つだけ設けるようにしてもよい。この場合、排水路５１の各水通路５５のうち一方については不具備とすることができる。また、座部本体２５に排水孔５２を３つ以上設けるようにしてもよい。その場合、排水孔５２の数に応じて水通路５５を追加して設ければよい。
【００７４】
・例えば、水抜き孔４５の真下にロック機構３１等の機構部品が存在していない場合には、水抜き孔４５の真下に座部本体２５を上下に貫通する貫通孔を形成するようにしてもよい。この場合、座部クッション２６上の水が水抜き孔４５と貫通孔とを通じて下方へまっすぐに流れ落ちることになる。また、この場合、上記貫通孔が座部本体２５の排水部のみにより構成されることになる。
【００７５】
・上記実施形態では、座部１２の折り畳み状態において座面２７が前方を向く構成となっていたが、座部１２の折り畳み状態において座面２７が後方を向く構成としてもよい。その場合、座部１２の折り畳み状態では、座部本体２５の排水部５０にたまった水が排水孔５２から前方に排出されることになる。
【符号の説明】
【００７６】
１０…浴室用椅子、１１…脚フレーム、１２…座部、２５…座部本体、２６…座部クッション、４１…突部、４２…孔部、４５…水抜き孔、４６…突条部、４８…窪み部、５０…排水部、５１…排水路、５２…排水孔、５７…水切り部。
【図１】
2020192038.tif 000003
【図２】
2020192038.tif 000004
【図３】
2020192038.tif 000005
【図４】
2020192038.tif 000006
【図５】
2020192038.tif 000007
【図６】
2020192038.tif 000008
【図７】
2020192038.tif 000009
【図８】
2020192038.tif 000010
【図９】
2020192038.tif 000011
【図１０】
2020192038.tif 000012
【図１１】
2020192038.tif 000013
【図１２】
2020192038.tif 000014